(57)【要約】【課題】貸しおしぼりで特殊な異物を拭き取られた場合でも、この異物を確実に除去し、従来の提供場所にはない特殊な場所でも貸しおしぼりの提供が可能になる貸しおしぼり洗浄方法及び貸しおしぼり洗浄システムを提供する。【解決手段】配置手段Ａにより、細かい繊維状の異物が拭い取られる環境での使用に供する場所におしぼりを配置する。洗浄手段Ｃの第１振動装置１０で、回収した使用済みタオルＴに振動を与えてタオルＴから異物をふるい落とす。乾燥吸引装置２０で、タオルＴを乾燥させながら異物を吸引する。洗浄装置３０で、メタ珪酸ソーダ及び次亜塩素酸ソーダを混入した洗剤でタオルＴを洗浄する。第２振動装置４０で、洗浄したタオルＴからリントと細かいごみをふるい落とす。【選択図】図１
2006068308.tif 000002
【特許請求の範囲】
【請求項１】
メタ珪酸ソーダ及び次亜塩素酸ソーダを混入した洗剤を使用しておしぼり用のタオルを洗浄する洗浄工程を有する貸しおしぼりの洗浄方法において、該洗浄工程の前工程にタオルを乾燥させながら異物を吸引する乾燥吸引工程を行うことを特徴とする貸しおしぼり洗浄方法。
【請求項２】
前記洗浄方法において、回収したタオルに振動を与えてタオルから異物をふるい落とす第１次振動工程と、タオルを乾燥させながら異物を吸引する乾燥吸引工程と、メタ珪酸ソーダ及び次亜塩素酸ソーダを洗剤に混入した液剤でタオルを洗浄する洗浄工程と、洗浄後のタオルからリントをふるい落とす第２次振動工程とを順次行う請求項１記載の貸しおしぼり洗浄方法。
【請求項３】
おしぼりを使用する場所へ貸しおしぼりを定期的に配置する配置手段と、使用場所から使用済みのおしぼり用タオルを回収する回収手段と、回収されたタオルを洗浄する洗浄手段とからなる貸しおしぼり洗浄システムであって、前記配置手段は、細かい繊維状の異物が拭き取られる環境での使用に供する場所におしぼりを配置し、前記洗浄手段は、回収した使用済みタオルに振動を与えてタオルから異物をふるい落とす第１振動装置と、タオルを乾燥させながら異物を吸引する乾燥吸引装置と、メタ珪酸ソーダ及び次亜塩素酸ソーダを混入した洗剤でタオルを洗浄する洗浄装置と、洗浄したタオルからリントをふるい落とす第２振動装置とを備え、使用済みのおしぼり用タオルから細かい繊維状の異物を除去することを特徴とする貸しおしぼり洗浄システム。
【請求項４】
前記おしぼり配置手段は、衣料品販売店に貸しおしぼりが配置される請求項３記載の貸しおしぼり洗浄システム。
【発明の詳細な説明】
【技術分野】
【０００１】
本発明は、例えば衣料品販売店などに貸しおしぼりを提供することができる貸しおしぼり洗浄方法及び貸しおしぼり洗浄システムに関する。
【背景技術】
【０００２】
従来の貸しおしぼりは、主にレストラン等の飲食店や、パチンコ店等の遊技場などで多く用いられている。このような場所で使用される貸しおしぼりは、利用者の手や顔等を拭き取るもので、使用後のおしぼりは、例えば特許文献１及び特許文献２に記載されているような洗浄方法により洗浄され再使用するものである。
【０００３】
特許文献１に記載された貸しおしぼりの洗浄方法は、雑菌の付着が少なく、汚れや異臭のない貸しおしぼりを提供するための洗浄方法に関するもので、前処理としてｐＨ１０以上の強アルカリ性機能水でおしぼりを洗浄した後、流動または振動するｐＨ２．５以下の強酸性機能水中でおしぼりを洗浄する方法である。
【０００４】
すなわち、特許文献１によると、貸しおしぼりの洗濯・消毒について、厚生省による「おしぼりの衛生的処理等に関する指導基準」があり、おしぼりの汚れ程度によって洗濯消毒の方法や付着細菌などの衛生基準が細かく決められているものの、細菌検査でも衛生基準を大幅に越える細菌数が検出されており、衛生基準や自主基準が必ずしも守られているとは言い切れないことから、雑菌の付着が少なく、汚れ、異臭のない貸しおしぼりを提供する目的で提案されたものである。
【０００５】
また、特許文献２に記載されたおしぼりの洗浄方法は、塩素系化合物独特の臭いがなく、長時間触れていても手を荒らすことがないように洗浄する方法で、少なくとも光半導体粉末を含有する光触媒機能体を用いた殺菌処理工程を有する洗浄方法である。
【０００６】
この特許文献２によると、大量のおしぼりを一度に殺菌するために、かなり濃い濃度の次亜塩素酸が用いられていることが多く、このため使用者等がおしぼりを使用する際に、塩素系化合物独特の臭いがすることがあり、食事をするレストラン等では問題となること、また、かなり濃い濃度の次亜塩素酸を用いるため、おしぼりを長時間にわたり取り扱うことが多い人においては、次亜塩素酸により手の皮膚が破壊され、結果として手あれが生じることも多いので、塩素系化合物独特の臭いがなく、長時間触れていても手を荒らすことがないように洗浄できるようにしたものである。
【特許文献１】特開平１０−３３６１２号公報
【特許文献２】特開２００１−２５９５４６号公報
【発明の開示】
【発明が解決しようとする課題】
【０００７】
ところが、これら従来の洗浄方法は、いずれも飲食店など、従来から使用されている場所で使用することを目的としており、特殊な場所で貸しおしぼりを使用することについては全く考慮されていないものであった。
【０００８】
例えば、衣料品を扱う場所でおしぼりを使用すると、衣料品から遊離する細かな繊維状の異物がおしぼりで拭き取られる可能性がある。ところが、従来の洗浄方法では、前述の如く、殺菌効果を向上せしめるように改良されていても、繊維状の異物など、特殊な異物を除去する工夫はなされていなかった。しかも、細かな繊維状の異物は、タオルを洗浄したときに、タオル生地の奥内部に絡まって除去が困難になる不都合もある。この結果、新たなおしぼりとして再使用できなくなるタオルが増加すると、貸しおしぼりを提供するシステムがコスト的に成立しなくなるおそれもある。更に、細かな繊維状の異物が着色されていると、わずかな混入でも目立つことがあり、おしぼりを使用する際の印象を悪くしてしまう虞もある。そのため、特殊な異物がタオル生地の奥内部に絡まる可能性のある場所で貸しおしぼりを提供するには、使用済のタオルから特殊な異物を除去して、おしぼりとして再使用できるようにする特殊な洗浄方法が必要になっていた。
【０００９】
そこで、本発明は上述の課題を解消すべく創出されたもので、貸しおしぼりで特殊な異物を拭き取られた場合でも、この異物を確実に除去し、従来の提供場所にはない特殊な場所でも貸しおしぼりの提供が可能になり、貸しおしぼりの使用範囲を広げることが可能な貸しおしぼり洗浄方法及び貸しおしぼり洗浄システムの提供を目的とする。
【課題を解決するための手段】
【００１０】
本発明の第１の手段は、メタ珪酸ソーダ及び次亜塩素酸ソーダを混入した洗剤でおしぼり用のタオルＴを洗浄する洗浄工程３００を有する貸しおしぼりの洗浄方法において、該洗浄工程３００の前工程にタオルＴを乾燥させながら異物を吸引する乾燥吸引工程２００を行うことにある。
【００１１】
第２の手段は、前記洗浄方法において、回収したタオルＴに振動を与えてタオルＴから異物をふるい落とす第１次振動工程１００と、タオルＴを乾燥させながら異物を吸引する乾燥吸引工程２００と、メタ珪酸ソーダ及び次亜塩素酸ソーダを洗剤に混入した液剤でタオルＴを洗浄する洗浄工程３００と、洗浄後のタオルＴからリントやタオルＴ表面に残った細かいごみなどをふるい落とす第２次振動工程４００とを順次行うものである。
【００１２】
第３の手段は、おしぼりを使用する場所へ貸しおしぼりを定期的に配置する配置手段Ａと、使用場所から使用済みのおしぼり用タオルを回収する回収手段Ｂと、回収されたタオルＴを洗浄する洗浄手段Ｃとからなる貸しおしぼり洗浄システムであって、前記配置手段Ａは、細かい繊維状の異物が拭い取られる環境での使用に供する場所におしぼりを配置し、前記洗浄手段Ｃは、回収した使用済みタオルＴに振動を与えてタオルＴから異物をふるい落とす第１振動装置１０と、タオルＴを乾燥させながら異物を吸引する乾燥吸引装置２０と、メタ珪酸ソーダ及び次亜塩素酸ソーダを混入した洗剤でタオルＴを洗浄する洗浄装置３０と、洗浄したタオルＴからリントと細かいごみをふるい落とす第２振動装置４０とを備え、使用済みのおしぼり用タオルＴから細かい繊維状の異物を除去することにある。
【００１３】
第4の手段において、前記配置手段Ａは、衣料品販売店に貸しおしぼりを配置することを課題解消のための手段とする。
【発明の効果】
【００１４】
本発明の請求項１により、洗浄工程の前工程におしぼり用のタオルを乾燥させながら異物を吸引する乾燥吸引工程を行うことにより、貸しおしぼりで特殊な異物が拭き取られても、この異物を確実に除去することができる。すなわち、この乾燥吸引工程を洗浄工程の前工程で行うことにより、洗浄工程によって細かい異物等がおしぼり用タオルの生地内部に絡みつくおそれは解消した。
【００１５】
また、請求項２による洗浄方法によると、特殊な環境で使用する貸しおしぼりでも、通常使用している貸しおしぼりと同様の手触りや殺菌力を有するものである。
【００１６】
さらに、請求項３に記載の貸しおしぼり洗浄システムにより、細かい繊維状の異物が拭い取られる環境で使用したおしぼり用タオルでも、この異物を確実に除去できるので、貸しおしぼりの提供が可能になり、貸しおしぼりの提供範囲を広げることが可能になる。
【００１７】
そして、請求項４により、細かい繊維状の異物が拭い取られる可能性の高い衣料品販売店でも貸しおしぼりの使用が可能になる。また、この貸しおしぼりで来客者の手を清潔にできるので、試着などにより生じる商品の汚れを極力少なくすることができる。更に、衣料品販売店において、これまで提供されなかった貸しおしぼりサービスを行うことが可能になったので、本発明システムによる衣料品販売店の販売促進効果も期待できるものである。
【００１８】
このように、本発明によると、細かい繊維状の異物が拭い取られるような特殊な場所でも貸しおしぼりを提供することが可能になり、使用後のおしぼりに特殊な異物が混入した場合でも、この異物を確実に除去し、おしぼりの使用範囲を広げることが可能になるなどといった優れた効果を奏するものである。
【発明を実施するための最良の形態】
【００１９】
本発明の最良の形態は、おしぼりを使用する場所へ貸しおしぼりを定期的に配置するおしぼり配置手段と、使用場所から使用済みのおしぼり用タオルを回収する回収手段と、回収されたタオルを洗浄するおしぼり洗浄手段とからなる貸しおしぼり洗浄システムを構成する。おしぼり配置手段は、細かい繊維状の異物が拭い取られる環境での使用に供する場所におしぼりを配置する。おしぼり洗浄手段は、回収した使用済みタオルに振動を与えてタオルから異物をふるい落とす第１振動装置と、タオルを乾燥させながら異物を吸引する乾燥吸引装置と、メタ珪酸ソーダ及び次亜塩素酸ソーダを混入した洗剤でタオルを洗浄する洗浄装置と、洗浄したタオルからリントと細かいごみをふるい落とす第２振動装置とを備え、使用済みのおしぼり用タオルから細かい繊維状の異物を除去し、使用済のタオルＴを貸しおしぼりとして再使用することで、当初の目的を達成するものである。
【実施例】
【００２０】
本発明システムは、配置手段Ａ、回収手段Ｂ、洗浄手段Ｃからなるおしぼり洗浄システムである。すなわち、配置手段Ａは、おしぼりを使用する場所へ貸しおしぼりを定期的に配置する手段であり、特に本発明では、細かい繊維状の異物が拭き取られる環境での使用に供する場所に貸しおしぼりを配置する。このような環境として、例えば、衣料品販売店に貸しおしぼりを配置する。また、この他の特殊な場所に配置することも可能である。貸しおしぼりの配置作業は、作業員が車両等を利用して各使用場所に配達し、配達された貸しおしぼりは、各使用場所において冷蔵庫や温蔵庫または温冷蔵庫等に収納して使用するものである。
【００２１】
回収手段Ｂは、貸しおしぼりを配置した場所から使用済みのおしぼり用タオルＴを回収する手段で、作業員が車両を利用して各使用場所から回収し、洗浄手段Ｃに移行する。
【００２２】
洗浄手段Ｃは、回収されたタオルＴを洗浄する手段で、第１振動装置１０、乾燥吸引装置２０、洗浄装置３０、第２振動装置４０を使用して洗浄する手段である。
【００２３】
第１振動装置１０は、回収した使用済みタオルＴに振動を与えてタオルＴから異物をふるい落とす装置である。図示の第１振動装置１０は、回転する籠状の回転筒体１１とこの回転筒体１１内部のタオルＴに強制的に風を当てるファン１２とを使用する。そして、ベルトコンベア１３により回転筒体１１内に使用済みのタオルＴを投入し、回転筒体１１の回転運動と、ファン１２の風圧とにより、タオルＴから異物を除去し、排出口１１Ｂから排出したタオルＴをベルトコンベア1４で搬送するものである。回転筒体１１の投入口１１Ａは排出口１１Ｂよりも高く設定してあり、回転筒体１１の回転に伴って纏まって投入されたタオルＴが解されながら排出口１１Ｂへ移行するものである。また、タオルＴから除去された異物は回転筒体１１の網目から回転筒体１１外へ排出される。
【００２４】
乾燥吸引装置２０は、タオルＴを乾燥させながら異物を吸引する装置である。この乾燥吸引装置２０は、側面に多数の吸引用孔を開穿した回転ドラム２２を、開閉自在なカバー体２１内に設置すると共に、カバー体２１の空気を強制的に吸引してカバー体２１外へ排気する吸引機２３を備えている（図  参照）。カバー体２１には、外気導入孔（図示せず）が設けられており、回転ドラム２２を回転させながら吸引機２３にて吸引することで、カバー体２１外部から外気が導入されて内部のタオルＴを乾燥させながら、タオルＴに付着している異物、例えば細かな繊維状の異物をタオルＴから除去する。図示のカバー体２１の内部には、カバー体２１下部にフィルター２4を配し、このフィルター２4を介してタオルＴから除去した異物を捕捉する。
【００２５】
洗浄装置３０は、メタ珪酸ソーダ及び次亜塩素酸ソーダを混入した洗剤でタオルＴを洗浄する装置である。この洗浄装置３０による洗浄工程は、次の表１に示す如く、本洗いした後に、４回のすすぎ工程を繰り返すものである。表１に示す工程は、負荷量100kgを目安とするもので、洗剤1,000ｇに、メタ珪酸ソーダ500ｇと、6％の次亜塩素酸ソーダ2000mlとを混合した溶液で洗浄する。また、同表中、括弧内の数値は、特にタオルＴの汚れがひどいときに選択する数値である。
【表１】
2006068308.tif 000003
【００２６】
第２振動装置４０は、洗浄したタオルＴからリントやタオルＴ表面に残った細かいごみなどをふるい落とす装置である。この第２振動装置４０は、洗浄装置３０にて洗浄した後のタオルＴに、再び振動を与えるもので、この第２振動装置４０の構成は、前記第１振動装置１０で用いた装置と同じ構成の装置を使用する。この第２振動装置４０により、洗浄後のタオルＴに生じるリントや、タオルＴ表面に残った細かいごみを最終的に除去する。そして、この第２振動装置４０から取り出したタオルＴを検品した後、タオルＴをおしぼり状に整えて包装し貸しおしぼりを形成する。
【００２７】
本発明洗浄方法の特徴は、洗浄工程３００の前工程にタオルＴを乾燥させながら異物を吸引する乾燥吸引工程２００を行うことにある。以下、洗浄方法の洗浄工程を示すと、本発明洗浄方法は、第１次振動工程１００、乾燥吸引工程２００、洗浄工程３００、第２次振動工程４００を順次行うものである。
【００２８】
第１次振動工程１００は、回収したタオルＴに振動を与えてタオルＴから異物をふるい落とす工程である。この工程では、前記第１振動装置１０を使用して比較的大きな異物を除去するものである。また、この第１次振動工程１００の前には、目視によるタオルＴの選別を行い、汚れや異臭の度合いにより選別すると共に、予め大きな異物を取り除いている。
【００２９】
乾燥吸引工程２００は、タオルＴを乾燥させながら異物を吸引する工程であり、この工程により、タオルＴで拭き取られた細かな繊維状の異物等を吸引除去するものである。この工程では、前記乾燥吸引装置２０が使用され、吸引機２３の吸引能力を上げることで、より細かな異物を除去することが可能になる。この乾燥吸引工程２００を次の洗浄工程３００の前に行うことにより、タオルＴで拭き取られた細かな繊維状の異物がタオルＴの生地内部に絡まり付く前に除去することができる。
【００３０】
洗浄工程３００は、メタ珪酸ソーダ及び次亜塩素酸ソーダを洗剤に混入した液剤でタオルＴを洗浄する工程である。この工程では、前記表１に記載の工程で洗浄する。洗浄して脱水した後、タオルＴを検品し、湿り具合や塩素臭の有無、また、他の異臭などがないかを確認する。
【００３１】
第２次振動工程４００は、前記第２振動装置４０を使用して洗浄後のタオルＴからリントや細かいごみをふるい落とす工程である。この工程後、タオルＴを一枚ずつ検品し、再使用に適さないタオルＴを目視で除去する。
【００３２】
この後、タオルＴをおしぼり状に整えてフィルムにて包装し、貸しおしぼりを形成する。この貸しおしぼりは、更に検品を加え、巻き不良や、包装フィルムに破れがないかなどを確認した後、最後に金属検知器により金属の混入がないことを確認し、箱詰めされて各使用場所に配置される。
【００３３】
尚、本発明における各構成は、本発明の一実施例に過ぎず、各構成部材の形状、寸法等の設計変更、形態の変更など、現在知られている技術範囲で自由に変更することができるものである。
【図面の簡単な説明】
【００３４】
【図１】本発明洗浄システムを示す構成図である。
【図２】本発明洗浄方法における工程図である。
【図３】本発明の第１振動装置を示す概略正面図である。
【図４】本発明の乾燥吸引装置を示す概略正断面図である。
【符号の説明】
【００３５】
Ａ  配置手段
Ｂ  回収手段
Ｃ  洗浄手段  
Ｔ  タオル
１０  第１振動装置
１１  回転筒体            １１Ａ  投入口
１１Ｂ  排出口
１２  ファン
１３  ベルトコンベア
１４  ベルトコンベア
２０  乾燥吸引装置
２１  カバー体
２２  回転ドラム
２３  吸引機
２４  フィルター
３０  洗浄装置
４０  第２振動装置
１００  第１次振動工程
２００  乾燥吸引工程
３００  洗浄工程
４００  第２次振動工程
【図１】
2006068308.tif 000004
【図２】
2006068308.tif 000005
【図３】
2006068308.tif 000006
【図４】
2006068308.tif 000007